(57)【要約】【課題】線香たて作業を容易にするとともに、立てた線香が整然と鉛直方向に起立保持される線香たてを得る。【解決手段】上面が開口し下部に小穴（１２）を有する有底筒状の容器（１１）を設け、該容器（１１）に着脱可能に嵌合する耐熱性の起立具（１５）を設け、該起立具（１５）は、その略全域に一本の線香が緩く嵌合しかつ上下に細長い多数の嵌合孔（１６）を互いに接近させて設け、各嵌合孔（１６）の下端部又はその直下に線香の通過を阻止する小面積の規制孔（２０ｂ）を設けたことを特徴とする線香たて。【選択図】　　　　図１
2004105640.tif 000002
【特許請求の範囲】
【請求項１】
上面が開口し下部に小穴（１２）を有する有底筒状の容器（１１）を設け、該容器（１１）に着脱可能に嵌合する耐熱性の起立具（１５）を設け、該起立具（１５）は、その略全域に一本の線香が緩く嵌合しかつ上下に細長い多数の嵌合孔（１６）を互いに接近させて設け、各嵌合孔（１６）の下端部又はその直下に線香の通過を阻止する小面積の規制孔（２０ｂ）を設けたことを特徴とする線香たて。
【請求項２】
起立具（１５）は、耐熱性及び断熱性を有する資材により形成したことを特徴とする請求項１記載の線香たて。
【請求項３】
規制孔（１６−２）は各嵌合孔（１６−１）の下部を小径に絞って形成したことを特徴とする請求項１又は２記載の線香たて。
【発明の詳細な説明】
【０００１】
【発明の属する技術分野】
本発明は、拝礼用の線香をたてる線香たてに関するものである。
【０００２】
【従来の技術】
従来の線香たてとして、図７に示すものがあった。図７において、１は上面が開口した有底円筒状の容器であり、下部に小径の小穴２を有し、内周上下中間部に支持用の段部３を有する。上記容器１内に保持具４を嵌合させ、上記段部３に着脱可能に載置する。
【０００３】
上記保持具４は、偏平な円板状の主体４ａに嵌合孔５が大きなピッチで上下に貫通形成されるとともに、各嵌合孔５の径Ｄ１は、５〜６本の線香６が緩く嵌合する円形孔に形成されている。
【０００４】
【発明が解決しようとする課題】
上記従来のものは、薄い主体４ａに大径の嵌合孔５を大きなピッチでしていたので、この嵌合孔５に線香６を嵌合させる際に、該線香６が各嵌合孔５を仕切る壁４ｂの上面に衝突して嵌合し難くなったり、また、嵌合孔５の長さが短いため、線香６の起立機能が乏しく、嵌合孔５に挿通した線香６が不規則に傾斜して不安全になるとともに、外観を損ねるものであった。本発明は、上記不具合を解消した新規な線香たてを得ることを目的とする。
【０００５】
【課題を解決するための手段】
本発明は、上記目的を達成するために以下の如く構成したものである。即ち、上面が開口し下部に小穴を有する有底筒状の容器を設け、該容器に着脱可能に嵌合する耐熱性の起立具を設け、該起立具は、その略全域に一本の線香が緩く嵌合しかつ上下に細長い多数の嵌合孔を互いに接近させて設け、各嵌合孔の下端部又はその直下に線香の通過を阻止する小面積の規制孔を設ける構成にしたものである。この場合、前記起立具は耐熱性及び断熱性を有する資材により形成するとよい。また、前記規制孔は各嵌合孔の下部を小径に絞って形成するとよい。
【０００６】
【発明の実施の形態】
以下本発明の実施例を図面に基いて説明する。図面において、図１は本発明の第１実施例を示す断面図、図２は図１の平面図、図３は図１に示す起立具部の要部拡大断面図、図４は図１に示す受け具の平面図、図５は本発明による起立具の第２実施例を示す要部拡大断面図、図６は本発明による起立具の第３実施例を示す要部拡大平面図である。
【０００７】
図１において、１０は線香たてであり、容器１１，起立具１５，及び受け具２０を主要部品として構成される。上記容器１１は、陶器あるいは耐熱製のプラスチックにより上面が開口し下部に小孔１２を有する有底円筒状に形成するとともに、底面から若干上方に位置する内周下部に環状の段部１３を形成してなる。また、上記受け具２０は、図４に示すように、ステンレス線あるいは鋼線等の線材２０ａを縦横に編んで円板状に形成した金網からなり、その規制孔（網目）２０ｂは一本の線香１７の断面積よりも小さな網目とし、図１に示すように、容器１１の段部１３に上方から着脱可能に載置する。なお、上記受け具２０は、板金材の全面に一本の線香１７の断面積よりも小さな小孔を多数形成してなる多孔板に換えてもよい。
【０００８】
上記起立具１５は、耐熱性のプラスチック、あるいは金属により容器１１に着脱可能に嵌合する円筒状に形成し、図１、図２に示すように、その上下幅（高さ）は容器１１の上部から段部１３に至る幅とし、その全域に上下に貫通する多数の嵌合孔１６を形成する。各嵌合孔１６は、図３に示すように、その内径Ｄ２を一本の線香２２の外径Ｄ３よりも若干大きくし、該線香２２が緩く嵌合できるようにする。また、各嵌合孔１６，１６間の仕切壁１７の肉厚は線香２２の外径Ｄ３よりも薄くし、線香２２を嵌合孔１６に嵌合させる際に、該線香２２が仕切壁１７の上面に衝突し難くなるようにする。
【０００９】
上記起立具１５は、容器１１に嵌合された際にその下面が前述した受け具２０の上面に当接し、該受け具２０を介して容器１１の段部１３に支持される、また、上記受け具２０は、その線材２０ａが各嵌合孔１６の下面を横断し、各嵌合孔１６に嵌合された線香２２の下端を受けるとともに、野外等で雨水が線香たて１０内に入った際に、該雨水を上記各規制孔（網目）２０ｂから流下させる。
【００１０】
図５は起立具の第２実施例を示す。図５において、１５−１は耐熱性のプラスチック、あるいは金属により円筒状に形成した起立具であり、その全域に多数の嵌合孔１６−１を上下に貫通形成する。各嵌合孔１６−１は、その下端部を除く上部側の内径Ｄ２を一本の線香２２の外径Ｄ３よりも若干大きくし、下端部は、その内径が下方に向かって縮小するテーパー状の規制孔１６−２とし、該規制孔１６−２の下端の内径Ｄ４は上記線香２２の外径Ｄ３よりも若干小さくする。これにより、各嵌合孔１６−１への線香２２の嵌合を容易にするとともに、該嵌合された線香２２の下端を上記規制孔１６−２で受け止めるようにする。その他は前述した第１実施例と略同様の構造となっている。
【００１１】
図６は起立具の第３実施例を示す。図５において、１５−２は耐熱性のプラスチック、あるいは金属により円筒状に形成した起立具であり、その全域に多数の嵌合孔１６−２を上下に貫通形成する。各嵌合孔１６−２は、一本の線香２２が緩く嵌合する断面正六角形とし、これにより、各嵌合孔１６−２，１６−２間に発生する仕切壁１７の肉厚を薄くかつ均一となるようにする。その他は前述した第１実施例と略同様の構造となっている。
【００１２】
なお、前述した起立具１６、１６−１を耐熱性かつ断熱性を有する資材により形成、又は該起立具１６、１６−１の嵌合孔１６，１６−１の内面に耐熱性かつ断熱性を有する資材、例えば石綿を固着するようにしてもよい。このようにすれば、点火された線香２２が嵌合孔１６，１６−１内でも消火しなくなり、線香２２を効率よく燃焼させることができる。
【００１３】
【発明の効果】
以上の説明から明らかな如く、本発明は、有底筒状の容器に起立具を着脱可能に嵌合させ、該起立具の略全域に一本の線香が緩く嵌合しかつ上下に細長い多数の嵌合孔を互いに接近させて設け、各嵌合孔の下端部又はその直下に線香の通過を阻止する小面積の規制孔を設けるようにしたので、線香を嵌合孔に容易に嵌合させることができるとともに、嵌合させた線香を整然と鉛直方向に起立保持することになる。また、線香を所定の嵌合孔に無作為に嵌合させても、各線香が鉛直方向に起立保持されるので、安全になるとともに線香たて作業が容易となる。
また、起立具を耐熱性及び断熱性を有する資材により形成したので、点火された線香が嵌合孔内で消火しなくなり、線香を効率よく燃焼させることができる。また、各嵌合孔の下部を小径に絞って線香の落下を阻止する規制孔を形成するようにしたので、部品点数が少なくなり、保守・点検が容易となる。
【図面の簡単な説明】
【図１】本発明の第１実施例を示す断面図である。
【図２】図１の平面図である。
【図３】図１に示す起立具部の要部拡大断面図である。
【図４】図１に示す受け具の平面図である。
【図５】本発明による起立具の第２実施例を示す要部拡大断面図である。
【図６】本発明による起立具の第３実施例を示す要部拡大平面図である。
【図７】従来例を示す断面図である。
【符号の説明】
１０　　線香たて
１１　　容器
１２　　小孔
１３　　段部
１５（１５−１，１５−２）　　起立具
１６（１６−１）　　嵌合孔
１７　　仕切壁
２０　　受け具
２０ａ　線材
２０ｂ（１６−２）　規制孔
２２　　線香
【図１】
2004105640.tif 000003
【図２】
2004105640.tif 000004
【図３】
2004105640.tif 000005
【図４】
2004105640.tif 000006
【図５】
2004105640.tif 000007
【図６】
2004105640.tif 000008
【図７】
2004105640.tif 000009